(57)【要約】【課題】移動体において、比較的、長い波長の無線信号を送受信するために適したアンテナを提供する。【解決手段】アンテナ２０は、手すりの第１および第２の部分１２−１，１２−２の間に、絶縁体２０４を介して接続・保持される。アンテナ素子２２０の垂直部分と水平部分との合計の長さは、例えば、送受信しようとする無線信号の信号波長λの約１／４とされる。アンテナ素子２２０は、その形状および素子長から、一種の逆Ｌ型アンテナとして動作し、無線信号に同調して効率よく無線信号を送受信する。【選択図】　　　　　図２
2004134923.tif 000002
【特許請求の範囲】
【請求項１】
手すりの一部または全部を構成するアンテナであって、
前記手すりの第１の部分と第２の部分との間に張られる第１の導体と、
信号の給電点と前記第１の導体とを接続する第２の導体と、
前記第１の導体および前記第２の導体またはこれらのいずれかと、前記手すりの第１の部分および第２の部分との間に設けられ、これらの間を電気的に絶縁する第１の絶縁部材と
を有するアンテナ。
【請求項２】
前記手すりは接地面に設けられ、前記信号は、前記給電点と前記接地面との間に供給され、前記第２の導体は、前記第１の導体と前記給電点とを、前記第１の導体の一端で接続し、
前記第１の導体と前記第２の導体とは、前記信号に同調する
請求項１に記載のアンテナ。
【請求項３】
前記第１の導体は、
互いに電気的に絶縁された複数の第１の部分
を含み、
前記複数の第１の部分の間を電気的に接続する第１の接続部材
をさらに有し、
前記第２の導体と、前記第１の接続部材を介して、前記給電点からの信号を伝えるように接続された前記第１の導体の第１の部分とは、所定の波長の前記信号に同調する
請求項２に記載のアンテナ。
【請求項４】
前記第１の導体は、
互いに電気的に絶縁された複数の第１の部分
を含み、
前記複数の第１の部分の間で、それぞれ異なる波長の前記信号を阻止する信号阻止部材
をさらに有し、
前記第２の導体と、前記信号阻止部材を介して、前記給電点からの信号を伝えるように接続された前記第１の導体の他の第１の部分とは、所定の波長の前記信号に同調する
請求項２に記載のアンテナ。
【請求項５】
前記手すりは接地面に設けられ、前記信号は、前記給電点と前記接地面との間に供給され、前記第２の導体は、前記第１の導体と前記給電点とを、前記第１の導体の一端で接続し、
前記第１の導体と前記接地面とを、前記第１の導体の他の一端で接続する第３の導体
をさらに有し、
前記第１の導体と、前記第２の導体と、前記第３の導体とは、前記信号に同調する
請求項１に記載のアンテナ。
【請求項６】
前記第１の導体は、
互いに電気的に絶縁された複数の第１の部分
を含み、
前記複数の第１の部分の間を電気的に接続する第１の接続部材と、
前記複数の第１の部分それぞれと、前記接地面との間を電気的に接続する第２の接続部材と
をさらに有し、
前記第２の導体と、前記第１の接続部材および前記第２の接続部材を介して、前記給電点からの信号を伝えるように前記接地面に接続された前記第１の導体の第１の部分とは、所定の波長の前記信号に同調する
請求項５に記載のアンテナ。
【請求項７】
前記第１の導体は、
互いに電気的に絶縁された複数の第１の部分
を含み、
前記複数の第１の部分の間で、それぞれ異なる波長の前記信号を阻止する信号阻止部材と、
前記複数の第１の部分と接地面との間で、それぞれ異なる波長の前記信号を通過させる信号通過部材と
をさらに有し、
前記第２の導体と、前記信号阻止部材および前記信号通過部材を介して、前記給電点からの信号を伝えるように前記接地面に接続された前記第１の導体の第１の部分とは、所定の波長の前記信号に同調する
請求項５に記載のアンテナ。
【発明の詳細な説明】
【０００１】
【発明の属する技術分野】
本発明は、船舶などの移動体において、比較的、長い波長の無線信号を送受信するために用いられるアンテナに関する。
【０００２】
【従来の技術】
例えば、特許文献１〜４は、船舶・車両などの移動体において、無線信号を送受信するためのアンテナを開示する。
しかしながらこれらの文献に開示されたアンテナは、ＶＨＦ・ＵＨＦ帯などの比較的、短い波長の信号を送受信するように構成されており、ＨＦ帯より長い波長の信号の送受信には向いていない。
また、ＨＦ帯などの比較的、長い波長の信号を送受信するためのアンテナは大型であり、アンテナ設置のためのスペースの制限が厳しい移動体への設置は難しい。
【０００３】
【特許文献１】特開２００２−１３５０１９号公報
【特許文献２】特開２０００−１５６６０６号公報
【特許文献３】特開平０９−２１４２４１号公報
【特許文献４】特開平０９−０６４６２９号公報
【０００４】
【発明が解決しようとする課題】
本発明は、上述した背景からなされたものであり、船舶などの移動体において、比較的、長い波長の無線信号を送受信するアンテナを提供することを目的とする。
また、本発明は、比較的、長い波長の無線信号の送受信が可能であるにもかかわらず、船舶などの移動体への設置が容易なアンテナを提供することを目的とする。
【０００５】
【課題を解決するための手段】
上記目的を達成するために、本発明にかかるアンテナは、手すりの第１の部分と第２の部分との間に設けられるアンテナであって、前記手すりの第１の部分と第２の部分との間に張られる第１の導体と、信号の給電点と前記第１の導体とを接続する第２の導体と、前記第１の導体および前記第２の導体またはこれらのいずれかと、前記手すりの第１の部分および第２の部分との間に設けられ、これらの間を電気的に絶縁する第１の絶縁部材とを有する。
【０００６】
好適には、前記手すりは接地面に設けられ、前記信号は、前記給電点と前記接地面との間に供給され、前記第２の導体は、前記第１の導体と前記給電点とを、前記第１の導体の一端で接続し、前記第１の導体と前記第２の導体とは、前記信号に同調する。
【０００７】
好適には、前記第１の導体は、互いに電気的に絶縁された複数の第１の部分を含み、前記複数の第１の部分の間を電気的に接続する第１の接続部材をさらに有し、前記第２の導体と、前記第１の接続部材を介して、前記給電点からの信号を伝えるように接続された前記第１の導体の第１の部分とは、所定の波長の前記信号に同調する。
【０００８】
好適には、前記第１の導体は、互いに電気的に絶縁された複数の第１の部分を含み、前記複数の第１の部分の間で、それぞれ異なる波長の前記信号を阻止する信号阻止部材をさらに有し、前記第２の導体と、前記信号阻止部材を介して、前記給電点からの信号を伝えるように接続された前記第１の導体の他の第１の部分とは、所定の波長の前記信号に同調する。
【０００９】
好適には、前記手すりは接地面に設けられ、前記信号は、前記給電点と前記接地面との間に供給され、前記第２の導体は、前記第１の導体と前記給電点とを、前記第１の導体の一端で接続し、前記第１の導体と前記接地面とを、前記第１の導体の他の一端で接続する第３の導体をさらに有し、前記第１の導体と、前記第２の導体と、前記第３の導体とは、前記信号に同調する。
【００１０】
好適には、前記第１の導体は、互いに電気的に絶縁された複数の第１の部分を含み、前記複数の第１の部分の間を電気的に接続する第１の接続部材と、前記複数の第１の部分それぞれと、前記接地面との間を電気的に接続する第２の接続部材とをさらに有し、前記第２の導体と、前記第１の接続部材および前記第２の接続部材を介して、前記給電点からの信号を伝えるように前記接地面に接続された前記第１の導体の第１の部分とは、所定の波長の前記信号に同調する。
好適には、前記第１の導体は、互いに電気的に絶縁された複数の第１の部分を含み、前記複数の第１の部分の間で、それぞれ異なる波長の前記信号を阻止する信号阻止部材と、前記複数の第１の部分と接地面との間で、それぞれ異なる波長の前記信号を通過させる信号通過部材とをさらに有し、前記第２の導体と、前記信号阻止部材および前記信号通過部材を介して、前記給電点からの信号を伝えるように前記接地面に接続された前記第１の導体の第１の部分とは、所定の波長の前記信号に同調する。
【００１１】
【発明の実施の形態】
以下、本発明の実施形態を説明する。
図１は、本発明にかかるアンテナが適応される移動体（船舶１）を例示する図である。
なお、以下の各図においては、実質的に同じ構成部分には同じ符号が付してある。
また、以下の説明においては、絶縁体２０４−１〜２０４−４など、複数ある構成部分のいずれかを特定せずに示す場合には、単に、絶縁体２０４などと略記することがある。
【００１２】
図１に示すように、客船などの船舶１の船体１０は金属で作られることが多く、金属製の船体１０は、アンテナの接地面として好適である。
また、船舶１には、多数の窓１４−１，１４−２が設けられ、この窓枠１６−１，１６−２（開口部を有する外壁）は、適切に給電することにより、スロットアンテナとして用いることができる。
【００１３】
また、船舶１の外周には必ず手すり１２が設けられ、これを適切に利用することにより、逆Ｌ型アンテナやスロットアンテナとして用いることができる。
以下に説明する本発明にかかる第１〜第８のアンテナ２０，２２，２４，２６，２８，３０，３２，３４は、このような点に着目し、移動体上の既存の構造物を利用して、比較的、長い波長の信号を送信および受信またはこれらのいずれかが（送受信）できるように構成されている。
なお、上述のように、アンテナとして利用可能な移動体上の構造物は、手すり１２に限られないが、説明および図示の具体化のために、以下、船舶１の手すり１２をアンテナとして利用する場合を具体例とする。
【００１４】
［第１のアンテナ２０］
図２は、本発明にかかる第１のアンテナ２０の構成を示す図である。
図２に示すように、アンテナ２０は、手すり１２（図１）の第１および第２の部分１２−１，１２−２の間に、絶縁体２０４−１，２０４−４を介して接続され、保持される。
アンテナ２０は、垂直部分および水平部分を含むアンテナ素子２２０、絶縁体２０４−２，２０４−３、および、給電点２０２から構成される。
アンテナ２０において、アンテナ素子２２０の垂直部分は、金属製パイプあるいは絶縁体の支柱に沿って配設される電線などの導体から構成される。
【００１５】
アンテナ素子２２０の垂直部分の一端は、同様に導体から構成されるアンテナ素子２２０の水平部分の一端に接続され、アンテナ素子２２０の垂直部分と水平部分とは、電気的に導通する。
アンテナ素子２２０の垂直部分の他端（給電点２０２）と接地面２００との間には、送信の対象となる無線信号（例えばＨＦ帯の無線信号）が供給され、あるいは、給電点２０２と接地面２００との間から、アンテナ素子２２０が受けた無線信号が取り出される。
【００１６】
図２に示すように、アンテナ素子２２０の垂直部分と水平部分との合計の長さは、例えば、送受信しようとする無線信号の信号波長λの約１／４（λ／４）とされる。
つまり、アンテナ素子２２０は、その形状および素子長から、一種の逆Ｌ型アンテナとして動作し、無線信号に同調して効率よく無線信号を送受信する。
【００１７】
なお、絶縁体２０４−２，２０４−３およびアンテナ素子２２０の垂直部分は、手すり１２の支柱と同様な役割を果たし、アンテナ素子２２０の水平部分および絶縁体２０４−１，２０４−４は、手すり１２の水平部分と同様な役割を果たす。
このように、アンテナ２０は、波長λの無線信号に同調して、この無線信号を効率的に送受信するほか、手すり１２の一部を構成し、船舶１の乗組員・乗客を保護する。
なお、手すり１２の第１および第２の部分１２−１，１２−２のいずれかまたは両方が、船舶１（図１）の手すり１２以外の支柱や壁面であって、アンテナ２０が、手すり１２の全部を構成してもよい（以下同様）。
【００１８】
［第２のアンテナ２２］
図３は、本発明にかかる第２のアンテナ２２の構成を示す図である。
図３に示すように、第２のアンテナ２２は、第１のアンテナ２０（図２）と同様に、手すり１２（図１）の第１および第２の部分１２−１，１２−２の間に、絶縁体２０４−１，２０４−４を介して接続・保持される。
アンテナ２２は、２つの垂直部分および１つの水平部分を含むアンテナ素子２４０、絶縁体２０４−２、および、給電点２０２から構成される。
【００１９】
図３に示すように、アンテナ素子２４０の第１の垂直部分の一端は、アンテナ素子２４０の水平部分の一端に接続され、アンテナ素子２４０の第２の垂直部分の他端は、アンテナ素子２４０の水平部分の他端と接地面２００との間に接続される。
このように、アンテナ素子２４０の２つの垂直部分と１つの水平部分とは、電気的に導通し、さらに、アンテナ素子２４０の水平部分の他端は、第２の水平部分を介して接地面２００に電気的に導通する。
アンテナ素子２４０においても、第１のアンテナ２０のアンテナ素子２２０（図２）においてと同様に、アンテナ素子２４０の第１の垂直部分の他端（給電点２０２）と接地面２００との間に、送信の対象となる無線信号が供給され、あるいは、給電点２０２と接地面２００との間から、アンテナ素子２４０が受けた無線信号が取り出される。
【００２０】
図３に示すように、アンテナ素子２４０の２つの垂直部分と１つの水平部分との合計の長さは、例えば、送受信しようとする無線信号の信号波長λの約１／２（λ／２）とされる。
つまり、アンテナ素子２４０は、その形状および素子長から、一種のループアンテナとして動作し、無線信号に同調して効率よく無線信号を送受信する。
【００２１】
なお、第２のアンテナ２２の絶縁体２０４−２，２０４−３およびアンテナ素子２４０の垂直部分および水平部分も、第１のアンテナ２０の絶縁体２０４−２，２０４−３およびアンテナ素子２２０（図２）においてと同様に、手すり１２の支柱および水平部分と同様な役割を果たして手すり１２の一部または全部を構成し、船舶１の乗組員・乗客を保護する。
【００２２】
［第２のアンテナ２２の調整］
図４は、図３に示した第２のアンテナ２２の調整方法を例示する図である。
アンテナ２２を調整する場合には、図４に示すように、第２のアンテナ２２において、アンテナ素子２４０の第２の垂直部分を、アンテナ素子２４０の水平部分に沿って（図４においては左右に）移動可能で、アンテナ素子２４０の水平部分と接地面２００とを電気的に導通させる接続するショート用部材２４２に置換すればよい。
このように、アンテナ素子２４０の第２の垂直部分を、ショート用部材２４２に置換し、アンテナ素子２４０の水平部分と、接地面２００とを導通させる位置を変更させることにより、アンテナ２２の同調周波数およびインピーダンスなどを調整することができる。
【００２３】
［第３のアンテナ２４］
図５は、本発明にかかる第３のアンテナ２４の構成を示す図である。
図５に示すように、第３のアンテナ２４は、第１および第２のアンテナ２０，２２（図２〜図４）と同様に、手すり１２（図１）の第１および第２の部分１２−１，１２−２の間に、絶縁体２０４−１，２０４−４を介して接続・保持される。
アンテナ２４は、１つの垂直部分および１つの水平部分を含むアンテナ素子２４４、２つのショート用部材２４２−１，２４２−２、および、給電点２０２から構成される。
【００２４】
図５に示すように、アンテナ素子２４４の垂直部分の一端は、アンテナ素子２４４の水平部分の中央から外れた位置に接続される。
アンテナ素子２４４の両端付近と接地面２００との間には、ショート用部材２４２−１，２４２−２が接続される。
このように、アンテナ素子２４４の垂直部分と水平部分とは、電気的に導通し、さらに、アンテナ素子２４４の水平部分の両端は、ショート用部材２４２−１，２４２−２を介して接地面２００に電気的に導通する。
アンテナ素子２４４においては、アンテナ素子２４４の垂直部分の他端（給電点２０２）と接地面２００との間に、送信の対象となる無線信号が供給され、あるいは、給電点２０２と接地面２００との間から、アンテナ素子２４４が受けた無線信号が取り出される。
【００２５】
図５に示すように、ショート用部材２４２−１と、アンテナ素子２４４の水平部分の垂直部分との接続点までとを合計した長さは、例えば、送受信しようとする無線信号の信号波長λの約１／４（λ／４）とされる。
また、アンテナ素子２４４の垂直部分と、水平部分の垂直部分との接続点からショート用部材２４２−２との接続点までと、ショート用部材２４２−２とを合計した長さは、例えば、送受信しようとする無線信号の信号波長λの約１／２（λ／２）とされる。
つまり、アンテナ素子２４４は、その形状および素子長から、一種のループアンテナあるいはスロットアンテナとして動作し、無線信号に同調して効率よく無線信号を送受信する。
また、ショート用部材２４２−１，２４２−２の２箇所で調整することができるので、アンテナ素子２４４の調整は容易である。
【００２６】
なお、第３のアンテナ２４の絶縁体２０４−２，２０４−３およびアンテナ素子２４４の垂直部分および水平部分も、第１のアンテナ２０の絶縁体２０４−２，２０４−３およびアンテナ素子２２０などにおいてと同様に、手すり１２の支柱および水平部分と同様な役割を果たして手すり１２の一部または全部を構成し、船舶１の乗組員・乗客を保護する。
【００２７】
［第３のアンテナ２４の変形例］
図６は、図５に示した第３のアンテナ２４の変形例およびその調整方法を例示する図である。
図６に示すように、アンテナ２４を、ショート用部材２４２−２を省いて構成することも可能である。
【００２８】
つまり、図６に示すように、アンテナ素子２４４の垂直部分と、水平部分の垂直部分との接続点から開放端までとを合計した長さは、例えば、送受信しようとする無線信号の信号波長λの約１／４（λ／４）としても、アンテナ２４は、目的の無線信号の効率的な送受信が可能である。
なお、図６に示すように変形したアンテナ２４においても、ショート用部材２４２−１を移動させることにより、その同調周波数およびインピーダンスなどを調整することができる。
【００２９】
［第４のアンテナ２６］
図７は、本発明にかかる第４のアンテナ２６の構成を示す図である。
図７に示すように、第４のアンテナ２６は、例えば、手すり１２（図１）の絶縁部分１２０−１，１２０−２を介して、手すり１２の絶縁部分１２０−１，１２０−２に接続・保持される。
アンテナ２６は、２つの垂直部分および１つの水平部分を含むアンテナ素子２６０−１、それぞれ１つの垂直部分および１つの水平部分を含むｎ−１個のアンテナ素子２６０−２〜２６０−ｎ、接地用導体２６２−１〜２６２−ｎ、および、給電点２０２から構成される。
【００３０】
アンテナ素子２６０−１〜２６０−ｎの間は、ｎ−１個（一部図示せず）の横方向の絶縁体スペーサ２０８−１〜２０８−（ｎ−１）を介して接続・支持され、アンテナ素子２６０−１〜２６０−ｎは、互いに電気的に絶縁されている。
また、アンテナ素子２６０−２〜２６０−ｎの垂直部分は、それぞれ、接地用導体２６２−１〜２６２−ｎと、縦方向の絶縁体スペーサ２０６を介して接続・保持され、接地面２００から電気的に絶縁される。
【００３１】
また、アンテナ素子２６０−１の垂直部分と、アンテナ素子２６０−１〜２６０−ｉ（ｉ＝１〜ｎ）の水平部分との合計の長さは、第ｉの無線信号の波長λｉの約１／４とされる。
つまり、アンテナ素子２６０−１〜２６０−ｎは、それぞれ波長λ１〜λｎの信号用のアンテナ素子として用いられる。
なお、図７を参照してわかるように、第１〜第ｎの無線信号の波長λ１〜λｎは、λ１＜λ２＜・・・＜λｎの関係にある。
【００３２】
このように、スペーサ２０８−１〜２０８−（ｎ−１）が適宜、選択的に電気的にショートされると、アンテナ素子２６０−１〜２６０−ｎは、第１のアンテナ２０（図２）と同様な一種の逆Ｌアンテナを構成する。
このように、アンテナ２６は、アンテナ素子２６０−１の一方の垂直部分の一端（給電点２０２）と接地面２００との間に供給される波長λ１〜λｎの無線信号を効率的に送信し、また、波長λ１〜λｎの無線信号を効率的に受け、給電点２０２と接地面２００との間から出力する。
【００３３】
図８は、図７に示した第４のアンテナ２６を、第２の無線信号（波長λ２）の送受信に用いる場合を例示する図である。
第４のアンテナ２６を、波長λ２の第２の無線信号の送受信に用いるためには、図８に示すように、アンテナ素子２６０−１，２６０−２の間のスペーサ２０８−１を、横方向の導電性部材２６６−１により電気的に導通させればよい。
【００３４】
このように、アンテナ２６を、波長λｉの第ｉの無線信号の送受信に用いるためには、アンテナ素子２６０−１〜２６０−ｉの間のスペーサ２０８−１〜（ｉ−１）を、ｉ−１個（一部図示せず）の導電性部材２６６−１〜２６６−（ｉ−１）により電気的に導通させればよい。
なお、アンテナ２６についても、図４〜図６に示した調整方法が適用可能である（以下、本発明にかかる各アンテナについて同様）。
【００３５】
［第５のアンテナ２８］
図９は、本発明にかかる第５のアンテナ２８の構成を示す図である。
図９に示すように、第５のアンテナ２８は、例えば、第４のアンテナ２６（図７）と同様に、手すり１２（図１）の絶縁部分１２０−１，１２０−２を介して、手すり１２の第１および第２の部分１２−１，１２−２に接続・保持される。アンテナ２８は、２つの垂直部分および１つの水平部分を含むアンテナ素子２８０−１、それぞれ１つの垂直部分および１つの水平部分を含むｎ−１個のアンテナ素子２８０−２〜２８０−ｎ、接地用導体２６２−１〜２６２−ｎ、および、給電点２０２から構成される。
【００３６】
第４のアンテナ２６（図７）のアンテナ素子２６０−１〜２６０−ｎと同様な構成を採るアンテナ素子２８０−１〜２８０−ｎの間は、アンテナ素子２６０−１〜２６０−ｎの間と同様に、ｎ−１個（一部図示せず）の横方向の絶縁体スペーサ２０８−１〜２０８−（ｎ−１）を介して接続・支持され、アンテナ素子２８０−１〜２８０−ｎは、互いに電気的に絶縁されている。
また、アンテナ素子２８０−２〜２８０−ｎの垂直部分は、それぞれ、接地用導体２６２−１〜２６２−ｎと、縦方向の絶縁体スペーサ２０６を介して接続・保持され、接地面２００から電気的に絶縁される。
【００３７】
また、アンテナ素子２８０−１の垂直部分と、アンテナ素子２８０−１〜２８０−ｉ（ｉ＝１〜ｎ）の水平部分と、アンテナ素子２８０−ｉの垂直部分および接地用導体２６２−ｉとの合計の長さは、第ｉの無線信号の波長λｉの約１／２とされる。
このように、アンテナ素子２８０−１〜２８０−ｎは、スペーサ２０６−１〜２０６−ｎ，２０８−１〜２０８−（ｎ−１）が適宜、選択的にショートされると、第２のアンテナ２２（図３）と同様な一種のループアンテナを構成し、波長λ１〜λｎの無線信号を効率的に送受信する。
つまり、アンテナ素子２８０−１〜２８０−ｎは、それぞれ波長λ１〜λｎの信号用のアンテナ素子として用いられる。
【００３８】
図１０は、図９に示した第５のアンテナ２８を、第２の無線信号（波長λ２）の送受信に用いる場合を例示する図である。
第５のアンテナ２８を、波長λ２の第２の無線信号の送受信に用いるためには、図１０に示すように、アンテナ素子２８０−１，２８０−２の間のスペーサ２０８−１と、アンテナ素子２８０−２の垂直部分と接地用導体２６２−２との間のアンテナ２０６−２とを、導電性部材２６６−１および縦方向の導電性部材２６４−１により電気的に導通させればよい。
【００３９】
このように、アンテナ２８を、波長λｉの第ｉの無線信号の送受信に用いるためには、アンテナ素子２８０−１〜２８０−ｉの間のスペーサ２０８−１〜（ｉ−１）を、ｉ−１個（一部図示せず）の導電性部材２６６−１〜２６６−（ｉ−１）により電気的に導通させ、アンテナ素子２８０−ｉの垂直部分と接地用導体２６２−ｉとの間のスペーサ２０６−ｉを、導電性部材２６４−１により電気的に導通させればよい。
【００４０】
［第６のアンテナ３０］
図１１は、本発明にかかる第６のアンテナ３０の構成を示す図である。
図１１に示すように、第６のアンテナ３０は、例えば、第４のアンテナ２６（図７）と同様に、手すり１２（図１）の絶縁部分１２０−１，１２０−２を介して、手すり１２の第１および第２の部分１２−１，１２−２に接続・保持される。
【００４１】
アンテナ３０は、第４のアンテナ２６と同様に、２つの垂直部分および１つの水平部分を含むアンテナ素子２６０−１、それぞれ１つの垂直部分および１つの水平部分を含むｎ−１個のアンテナ素子２６０−１〜２６０−ｎ、接地用導体２６２−１〜２６２−ｎ、インダクタ３００−１〜３００−（ｎ−１）、および、給電点２０２から構成される。
つまり、第６のアンテナ３０は、第４のアンテナ２６（図７）のスペーサ２０８−１〜２０８−（ｎ−１）を、インダクタ３００−１〜３００−（ｎ−１）で置換した構成を採る。
【００４２】
図１２は、図１１に示したインダクタ３００の構成を例示する図である。
アンテナ素子２６０−１〜２６０−ｎの間は、ｎ−１個（一部図示せず）のインダクタ３００−１〜３００−（ｎ−１）を介して接続される。
図１２に例示するように、インダクタ３００−１〜３００−ｎは、それぞれ２つの部分に分かれた外部導体３０２、インダクタ３００の両端においてアンテナ素子２６０と電気的に接続される２つの接続部３０４、外部導体３０２の内部に充填された誘電体３０６、外部導体３０２の２つの部分を電気的に絶縁して接続する絶縁体（誘電体）３０８、および、インダクタ素子３１０から構成される。なお、図１２に示すように、絶縁体３０８を薄くすると、後述するように、外部導体３０２の２つの部分に分布容量が生じ、また、外部導体３０２とインダクタ素子３１０との間にも分布容量が生じる。
この分布容量を小さくしたい場合には、絶縁体３０８を厚くして外部導体３０２の間の距離を長くしたり、外部導体３０２を絶縁性の支持部材に置換したりするとよい。
【００４３】
第４のアンテナ２６においてと同様に、第６のアンテナ素子２６０−１の垂直部分と、アンテナ素子２６０−１〜２６０−ｉ（ｉ＝１〜ｎ）の水平部分との合計の長さは、第ｉの無線信号の波長λｉの約１／４とされ、アンテナ素子２６０−１〜２６０−ｎそれぞれは、波長λ１〜λｎの信号用に用いられる。
インダクタ３００−ｉは、アンテナ素子２６０−ｉ，２６０−（ｉ＋１）の間を、接続部３０４およびインダクタ素子３１０を介して接続する。
【００４４】
なお、インダクタ３００−１〜３００−（ｎ−１）それぞれのインダクタ素子３１０のインダクタンスＬ１〜Ｌｎ−１が、Ｌ１＜Ｌ２＜・・・＜Ｌｎ−１となるようにすると、インダクタ３００−１〜３００−（ｎ−１）の遮断最低周波数ｆｃｌ１〜ｆｃｌｎ−１を、ｆｃｌ１＞ｆｃｌ２＞・・・＞ｆｃｌｎ−１とすることができる。
さらに、ｆ１＞ｆｃｌ１＞ｆ２＞ｆｃｌ２＞ｆ３＞・・・＞ｆｃｌｎ−１＞ｆｎ（但し、ｆ１〜ｆｎは、第１〜第ｎの無線信号の周波数）とすると、アンテナ３０は、第１〜第ｎの無線信号それぞれを、効率的に送受信できるようになる。
【００４５】
［変形例］
図１３は、図１２に示したインダクタ３００の等価回路を示す図である。
図１２に示したインダクタ３００の外部導体３０２の２つの部分の間、および、外部導体３０２とインダクタ素子３１０との間には分布容量３１２が生じる。インダクタ３００−ｉのインダクタ素子３１０と、この分布容量３１２とを利用することにより、あるいは、インダクタ素子３１０に並列にコンデンサを付加することにより、図１３に示すように、インダクタ３００−１〜３００−ｎそれぞれを、第ｉの無線信号の周波数ｆｉに同調する並列同調回路（信号阻止部材）として利用することができる。
【００４６】
このように、インダクタ３００−１〜３００−ｎを並列同調回路として利用する場合には、インダクタ３００−１〜３００−（ｎ−１）それぞれのインダクタ素子３１０のインダクタンスＬ１〜Ｌｎ−１が、Ｌ１＜Ｌ２＜・・・＜Ｌｎ−１となるようにし、インダクタ３００−１〜３００−（ｎ−１）それぞれの分布容量３１２あるいはインダクタ素子３１０に並列に付加されたコンデンサのキャパシタンスＣ１〜Ｃｎ−１が、Ｃ１＜Ｃ２＜・・・＜Ｃｎ−１となるようにすると、インダクタ３００−１〜３００−（ｎ−１）の遮断周波数ｆｓ１〜ｆｓｎ−１を、ｆｓ１＞ｆｓ２＞・・・＞ｆｓｎ−１とすることができる。
この場合において、ｆｃ１＝ｆ２，ｆｃ２＝ｆ３，・・・，ｆｃｎ−１＝ｆｎ（但し、ｆ１〜ｆｎは、第１〜第ｎの無線信号の周波数）とすると、インダクタ３００−１〜３００−（ｎ−１）は、第ｉの無線信号（波長λｉ）の無線信号が、アンテナ素子２６０−（ｉ＋１）に伝わらないように阻止するようになる。
【００４７】
つまり、例えば、第ｉの無線信号（周波数ｆｉ，波長λｉ）が給電点２０２から供給されると、インダクタ３００−１〜３００−（ｉ−１）は、この第ｉの無線信号を、それぞれアンテナ素子２６０−２〜２６０−ｉに伝え、インダクタ３００−ｉは、この第ｉの無線信号を阻止してアンテナ素子２６０−（ｉ＋１）には伝えない。
従って、この場合の第６のアンテナ３０の実効的なアンテナ素子長はλｉ／４となり、第ｉの無線信号が効率的に送受信される。
【００４８】
［第７のアンテナ３０］
図１４は、本発明にかかる第７のアンテナ３２の構成を示す図である。
図１４に示すように、第７のアンテナ３２は、例えば、第４のアンテナ２６（図７）と同様に、手すり１２（図１）の絶縁部分１２０−１，１２０−２を介して、手すり１２の第１および第２の部分１２−１，１２−２に接続・保持される。
【００４９】
図１５は、図１４に示したコンデンサ３２２の等価回路を示す図である。
アンテナ３２は、ｎ＋１個の垂直部分とこれらの垂直部分の一端で支持された水平部分とを含むアンテナ素子３２０、ｎ個の接地用導体２６２−１〜２６２−ｎ、アンテナ素子３２０の第１の垂直部分と接地面２００との間に設けられる給電点２０２、アンテナ素子３２０の第２〜第ｎ＋１の垂直部分と接地用導体２６２−１〜２６２−ｎとの間に接続されるコンデンサ３２２−１〜３２２−ｎ（Ｃ１〜Ｃｎ）から構成される。
コンデンサ３２２−１〜３２２−ｎは、例えば、図１２に示したインダクタ３００からインダクタ素子３１０を取り除いて、図１５に示すように等価的にコンデンサの働きをさせることより、あるいは、インダクタ３００と同様な構成において、インダクタ素子３１０をコンデンサに置換することにより実現される。
【００５０】
アンテナ素子３２０の第１の垂直部分と、アンテナ素子３２０の水平部分と、アンテナ素子３２０の第２〜第ｎ＋１の垂直部分と、接地用導体２６２−１〜２６２−ｎとの合計の長さは、それぞれ、図１４に示すように、第１〜第ｎの無線信号の波長λ１〜λｎの約１／２とされ、これらが形成するループそれぞれは、波長λ１〜λｎの無線信号用のアンテナとして機能する。
【００５１】
コンデンサ３２２−１〜３２２−ｎそれぞれのキャパシタンスＣ１〜Ｃｎが、Ｃ１＜Ｃ２＜・・・＜Ｃｎ−１となるようにすると、コンデンサ３２２−１〜３２２−ｎの通過最低周波数ｆｐ１〜ｆｐｎを、ｆｐ１＞ｆｐ２＞・・・＞ｆｐｎとすることができる。
この場合において、ｆ１＞ｆｐ１＞ｆ２＞ｆｐ２＞ｆ３＞・・・＞ｆｐｎ−１＞ｆｎ（但し、ｆ１〜ｆｎは、第１〜第ｎの無線信号の周波数）とすると、アンテナ３２は、第１〜第ｎの無線信号それぞれを、効率的に送受信できるようになる。
【００５２】
［第８のアンテナ３４］
図１６は、本発明にかかる第８のアンテナ３４の構成を示す図である。
図１６に示すように、第８のアンテナ３４は、例えば、第４のアンテナ２６（図７）と同様に、手すり１２（図１）の絶縁部分１２０−１，１２０−２を介して、手すり１２の第１および第２の部分１２−１，１２−２に接続・保持される。
【００５３】
図１７は、図１６に示した信号通過部材３４０の等価回路を示す図である。
第８のアンテナ３４は、第７のアンテナ３２（図１４）と同様なアンテナ素子３２０、ｎ個の接地用導体２６２−１〜２６２−ｎ、アンテナ素子３２０の第１の垂直部分と接地面２００との間に設けられる給電点２０２、アンテナ素子３２０の第２〜第ｎ＋１の垂直部分と接地用導体２６２−１〜２６２−ｎとの間に接続される信号通過部材３４０−１〜３４０−ｎから構成される。
信号通過部材３４０−１〜３４０−ｎは、図１７に示すように直列同調回路を構成するインダクタ素子３４２およびコンデンサ３４６から構成され、それぞれ同調周波数ｆｐ１〜ｆｐｎ（波長λ１〜λｎ）の無線信号を選択的に通過させる。
つまり、第８のアンテナ３４は、第７のアンテナ３２（図１４）のコンデンサ３２２−１〜３２２−ｎを、信号通過部材３４０−１〜３４０−ｎで置換した構成を採る。
【００５４】
第８のアンテナ３４にいても、第７のアンテナ３２においてと同様に、アンテナ素子３２０の第１の垂直部分と、アンテナ素子３２０の水平部分と、アンテナ素子３２０の第２〜第ｎ＋１の垂直部分と、接地用導体２６２−１〜２６２−ｎとの合計の長さは、それぞれ、図１６に示すように、第１〜第ｎの無線信号の波長λ１〜λｎの約１／２とされ、これらが形成するループそれぞれは、波長λ１〜λｎの無線信号用のアンテナとして機能する。
【００５５】
信号通過部材３４０−１〜３４０−ｎそれぞれのインダクタ素子３４２のそれぞれのインダクタンスＬ１〜Ｌｎ−１が、Ｌ１＜Ｌ２＜・・・＜Ｌｎ−１となるようにし、コンデンサ３４４それぞれのキャパシタンスＣ１〜Ｃｎが、Ｃ１＜Ｃ２＜・・・＜Ｃｎ−１となるようにすると、コンデンサ３２２−１〜３２２−ｎの通過周波数ｆｐ１〜ｆｐｎを、ｆｐ１＞ｆｐ２＞・・・＞ｆｐｎとすることができる。
この場合において、ｆ１＝ｆｐ１＞ｆ２＝ｆｐ２＞ｆ３・・・＞ｆｐｎ−１＝ｆｎ（但し、ｆ１〜ｆｎは、第１〜第ｎの無線信号の周波数）とすると、アンテナ３４は、第１〜第ｎの無線信号それぞれを、効率的に送受信できるようになる。
【００５６】
【発明の効果】
以上説明したように、本発明にかかるアンテナによれば、船舶などの移動体において、比較的、長い波長の無線信号を送受信することができる。
また、本発明にかかるアンテナは、比較的、長い波長の無線信号の送受信が可能であるにもかかわらず、船舶などの移動体への設置が容易である。
【図面の簡単な説明】
【図１】本発明にかかるアンテナが適応される移動体（船舶）を例示する図である。
【図２】本発明にかかる第１のアンテナの構成を示す図である。
【図３】本発明にかかる第２のアンテナの構成を示す図である。
【図４】図３に示した第２のアンテナの調整方法を例示する図である。
【図５】本発明にかかる第３のアンテナの構成を示す図である。
【図６】図５に示した第３のアンテナの変形例およびその調整方法を例示する図である。
【図７】本発明にかかる第４のアンテナの構成を示す図である。
【図８】図７に示した第４のアンテナを、第２の無線信号（波長λ２）の送受信に用いる場合を例示する図である。
【図９】本発明にかかる第５のアンテナの構成を示す図である。
【図１０】図９に示した第５のアンテナを、第２の無線信号（波長λ２）の送受信に用いる場合を例示する図である。
【図１１】本発明にかかる第６のアンテナの構成を示す図である。
【図１２】図１１に示したインダクタの構成を例示する図である。
【図１３】図１２に示したインダクタの等価回路を示す図である。
【図１４】本発明にかかる第７のアンテナの構成を示す図である。
【図１５】図１４に示したコンデンサの等価回路を示す図である。
【図１６】本発明にかかる第８のアンテナの構成を示す図である。
【図１７】図１６に示した信号通過部材の等価回路を示す図である。
【符号の説明】
１・・・船舶、
１０・・・船体、
１２・・・手すり、
１２０・・・手すりの絶縁部分、
１４・・・窓、
１６・・・窓枠、
２０，２２，２４，２６，２８，３０，３２，３４・・・アンテナ、
２００・・・接地面、
２０２・・・給電点、
２０４・・・絶縁体、
２２０，２４０，２４４，２６０，２８０，３２０・・・アンテナ素子、
２４２・・・ショート用部材、
２０６，２０８・・・スペーサ、
２６４，２６６・・・導電性部材、
３００・・・インダクタ、
３０２・・・外部導体、
３０４・・・接続部、
３０６・・・誘電体、
３０８・・・絶縁体、
３１０・・・インダクタ素子、
３１２・・・分布容量、
３２２・・・コンデンサ、
３４０・・・信号通過部材、
３４２・・・インダクタ素子、
３４４・・・コンデンサ、
【図１】
2004134923.tif 000003
【図２】
2004134923.tif 000004
【図３】
2004134923.tif 000005
【図４】
2004134923.tif 000006
【図５】
2004134923.tif 000007
【図６】
2004134923.tif 000008
【図７】
2004134923.tif 000009
【図８】
2004134923.tif 000010
【図９】
2004134923.tif 000011
【図１０】
2004134923.tif 000012
【図１１】
2004134923.tif 000013
【図１２】
2004134923.tif 000014
【図１３】
2004134923.tif 000015
【図１４】
2004134923.tif 000016
【図１５】
2004134923.tif 000017
【図１６】
2004134923.tif 000018
【図１７】
2004134923.tif 000019